【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
血液浄化装置において必要とされるユーザインタラクションに関するフィードバックを提供する方法であって、
前記血液浄化装置の動作フローにおける現在位置において、前記動作フローの後続ステップのうちの少なくとも１つのステップで、ユーザインタラクションが必要とされるか否かをモニタするステップと、
前記モニタするステップで、ユーザインタラクションが必要とされると判断された場合、必要とされるユーザインタラクションの種類を判断するステップと、
前記少なくとも１つの後続ステップにおいて必要とされるユーザインタラクションの判断された種類を示すユーザインタラクションフィードバックを、グラフィカルユーザインタフェースの中の前記ユーザインタラクションに対応するアクティブエレメントにおいて事前にアクティベートするステップと、
を備える方法。
【請求項２】
前記必要なユーザインタラクションを判断するステップで判断された前記ユーザインタラクションの種類にしたがって、静的な、または動画のユーザインタラクションフィードバックを選択するステップを備える、請求項１に記載の方法。
【請求項３】
前記事前にアクティベートするステップにおいて、前記ユーザインタラクションフィードバックとして、一定の色の静止フレーム、静止フレームにおける色のグラデーション、一定の色であって、現れたり消えたりを繰り返すフレーム、色が変わる静止フレーム、点滅速度が変化する点滅フレーム、および／または一定の色であって、交互に大きくなったり小さくなったりするフレームが、アクティベートする、請求項１または２に記載の方法。
【請求項４】
前記ユーザインタラクションフィードバックのための少なくとも１つの制御パラメータを設定するステップを備えており、
前記パラメータは、前記アクティブエレメントにおける前記ユーザインタラクションフィードバックの外観を制御する、請求項１〜３の何れか１項に記載の方法。
【請求項５】
前記少なくとも１つの制御パラメータは、アクティブエレメントを取り囲むフレームが前記ユーザインタラクションフィードバックとして現れる時の色、および／またはグラデーションが開始する時および終了する時のグラデーションの色として使用する色のペアを定義する色パラメータ、ユーザインタラクションフィードバックの動画の速度を定義する速度パラメータ、アクティブエレメントを取り囲むフレームの濃さを定義する罫線太さパラメータ、および／または前記ユーザインタラクションフィードバックの可視性を制御するイネーブルパラメータを備える、請求項４に記載の方法。
【請求項６】
前記アクティブエレメントにおける前記ユーザインタラクションフィードバックの動画の位置、大きさ、および／またはタイプを変化させるステップを備える、請求項１〜５の何れか１項に記載の方法。
【請求項７】
判断可能なユーザインタラクションに割り当てられていない予備のユーザインタラクションフィードバック変数が、例外的な装置の状態が発生した場合に、通常を超えると判断されたユーザアクションのために設定されたユーザインタラクションフィードバックをさらに強力にするエスカレーションステップにおいて使用可能とされる、請求項１〜６の何れか１項に記載の方法。
【請求項８】
完了と判断されたユーザインタラクションが、装置内のイベントをトリガした、および／または実行されたことが検出されたときに、前記アクティブエレメントにおける前記ユーザインタラクションフィードバックをリセットするステップを備える、請求項１〜７の何れか１項に記載の方法。
【請求項９】
血液浄化装置において、モニタ可能な動作フローと、前記装置内の１つまたは複数のイベントをトリガし、前記モニタ可能な動作フローのモニタリングに基づいて判断されるユーザインタラクションに関するユーザインタラクションフィードバックを提示するように構成された１つまたは複数のアクティブエレメントを含むグラフィカルユーザインタフェースとに割り当てられるコンポーネント、を備える、請求項１〜８の何れか１項に記載の方法を実行するように構成された血液浄化装置。
【手続補正２】
【補正対象書類名】明細書
【補正対象項目名】００４４
【補正方法】変更
【補正の内容】
【００４４】
本発明を好ましい実施形態と添付の図面に関して説明したが、当然のことながら、本発明はこの好ましい実施形態に関して開示された具体的な詳細にいかようにも限定されず、本明細書で提示された教示に基づいて当業者にとって容易に明らかと変更はすべて、付属の特許請求の範囲により定義される保護範囲の中に含まれるとみなされる。
以下の特徴は、出願当初の特許請求の範囲に記載の要素である。
（項目１）
血液浄化装置において期待され、および／または必要とされるユーザインタラクションに関するフィードバックを提供する方法であって、
前記血液浄化装置の動作フローにおける現在位置において、前記動作フローの後続ステップのうちの少なくとも１つのステップで、ユーザインタラクションが期待され、および／または必要とされるか否かをモニタするステップと、
前記モニタするステップで、ユーザインタラクションが必要とされ、および／または期待されると判断された場合、必要とされ、および／または期待されるユーザインタラクションの種類を判断するステップと、
前記少なくとも１つの後続ステップにおいて必要とされ、および／または期待されるユーザインタラクションの判断された種類を示すユーザインタラクションフィードバックを、グラフィカルユーザインタフェースの中の前記ユーザインタラクションに対応するアクティブエレメントにおいて事前にアクティベートするステップと、
を備える方法。
（項目２）
前記必要なユーザインタラクションを判断するステップで判断された前記ユーザインタラクションの種類にしたがって、静的な、または動画のユーザインタラクションフィードバックを選択するステップを備える、項目１に記載の方法。
（項目３）
前記事前にアクティベートするステップにおいて、前記ユーザインタラクションフィードバックとして、一定の色の静止フレーム、静止フレームにおける色のグラデーション、一定の色であって、現れたり消えたりを繰り返すフレーム、色が変わる静止フレーム、点滅速度が変化する点滅フレーム、および／または一定の色であって、交互に大きくなったり小さくなったりするフレームが、アクティベートする、項目１または２に記載の方法。
（項目４）
前記ユーザインタラクションフィードバックのための少なくとも１つの制御パラメータを設定するステップを備えており、
前記パラメータは、前記アクティブエレメントにおける前記ユーザインタラクションフィードバックの外観を制御する、項目１〜３の何れか１項に記載の方法。
（項目５）
前記少なくとも１つの制御パラメータは、アクティブエレメントを取り囲むフレームが前記ユーザインタラクションフィードバックとして現れる時の色、および／またはグラデーションが開始する時および終了する時のグラデーションの色として使用する色のペアを定義する色パラメータ、ユーザインタラクションフィードバックの動画の速度を定義する速度パラメータ、アクティブエレメントを取り囲むフレームの濃さを定義する罫線太さパラメータ、および／または前記ユーザインタラクションフィードバックの可視性を制御するイネーブルパラメータを備える、項目４に記載の方法。
（項目６）
前記アクティブエレメントにおける前記ユーザインタラクションフィードバックの動画の位置、大きさ、および／またはタイプを変化させるステップを備える、項目１〜５の何れか１項に記載の方法。
（項目７）
判断可能なユーザインタラクションに割り当てられていない予備のユーザインタラクションフィードバック変数が、例外的な装置の状態が発生した場合に、通常を超えると判断されたユーザアクションのために設定されたユーザインタラクションフィードバックをさらに強力にするエスカレーションステップにおいて使用可能とされる、項目１〜６の何れか１項に記載の方法。
（項目８）
完了と判断されたユーザインタラクションが、装置内のイベントをトリガした、および／または実行されたことが検出されたときに、前記アクティブエレメントにおける前記ユーザインタラクションフィードバックをリセットするステップを備える、項目１〜７の何れか１項に記載の方法。
（項目９）
血液浄化装置において、モニタ可能な動作フローと、前記装置内の１つまたは複数のイベントをトリガし、前記モニタ可能な動作フローのモニタリングに基づいて判断および／または期待されるユーザインタラクションに関するユーザインタラクションフィードバックを提示するように構成された１つまたは複数のアクティブエレメントを含むグラフィカルユーザインタフェースとに割り当てられるコンポーネント、を備える、項目１〜８の何れか１項に記載の方法を実行するように構成された血液浄化装置。